(57)【要約】【課題】浴室の床下断熱構造を好適に構築する。【解決手段】建物ユニット１０は、浴室ユニット２０が組み入れられる浴室スペースを有している。浴室スペースは、床小梁が設置されていない非設置領域であり、浴室スペースにおいては、受け金具１５が床大梁１２及び受け小梁１４に取り付けられている。浴室ユニットは、ユニット本体を下方から支持しているユニット架台２１を有しており、ユニット架台２１は、受け金具１５により支持されている。ユニット本体の下方には床下断熱材３１が設けられている。床下断熱材３１は、ユニット本体の床パンから下方に離間した位置に配置されており、ユニット架台２１に取り付けられた架台用ブラケット４１により支持されている。床下断熱材３１は、横並びに配置された複数の断熱パネル３２を有している。【選択図】      図３
2015017387.tif 000002
【特許請求の範囲】
【請求項１】
建物に設けられた浴室設備を下方から支持する設備架台と、
前記浴室設備の底面部から下方に離間した位置に設けられている浴室下断熱材と、
前記設備架台に取り付けられ、前記浴室下断熱材を支持する支持部材と、
を備えていることを特徴とする建物の断熱構造。
【請求項２】
前記浴室下断熱材は、板状の断熱パネルが横並びに複数設けられていることで、浴室床部に沿って延びており、
前記支持部材は、隣り合う前記断熱パネルの境界部において、該断熱パネルの端部を支持するものであることを特徴とする請求項１に記載の建物の断熱構造。
【請求項３】
前記設備架台は、前記建物の床部において、床梁が所定間隔で複数設置されている設置領域と、前記床梁が設置されていない非設置領域とのうち、前記非設置領域に配置されている一方で、前記非設置領域の外側に配置された床梁に固定されており、
前記支持部材は、隣り合う前記断熱パネルの境界部において、前記非設置領域に上下に重なる位置に配置されていることを特徴とする請求項２に記載の建物の断熱構造。
【請求項４】
前記設備架台は、
前記非設置領域の周縁部に沿って延びている外側フレーム材と、
前記外側フレーム材よりも前記非設置領域の内側に設けられ、前記浴室設備が載せられている内側フレーム材と、
を有しており、
前記支持部材は、前記内側フレーム材に取り付けられていることを特徴とする請求項３に記載の建物の断熱構造。
【請求項５】
前記支持部材は、前記浴室下断熱材を支持している支持状態にあり、前記浴室下断熱材を支持せず且つ該浴室下断熱材の設置位置から上方に離間した退避状態に移行可能であることを特徴とする請求項１乃至４のいずれか１項に記載の建物の断熱構造。
【請求項６】
柱及び大梁を有する建物ユニットが複数組み合わされることで構築された建物に適用され、
前記設備架台は、前記建物ユニットの下面から下方に突出しない状態で、該建物ユニットに取り付けられており、
前記支持部材は、前記支持状態にある場合に前記建物ユニットの下面から下方に突出した状態にあり、前記退避状態に移行することで前記建物ユニットの下面から下方に突出していない状態になることを特徴とする請求項５に記載の建物の断熱構造。
【請求項７】
前記設備架台は、前記支持部材が取り付けられた支持フレーム材を有しており、
前記支持部材は、前記支持フレーム材の側面に固定された軸支部により回動可能に軸支されており、該側面に沿って回動することで前記退避状態に移行可能になっていることを特徴とする請求項５又は６に記載の建物の断熱構造。
【請求項８】
前記支持部材は、
前記支持フレーム材の側面に重ねられた状態で設けられ、前記軸支部から下方に向けて延びている重ね板部を有しており、
前記重ね板部の幅寸法は、当該重ね板部の下端部よりも上端部が小さくされていることを特徴とする請求項７に記載の建物の断熱構造。
【請求項９】
前記建物の床部において、床面材の下方に床断熱材が設けられている建物に適用され、
前記浴室設備の下方には、前記浴室下断熱材が前記床断熱材として設けられており、
前記支持部材は、前記浴室下断熱材が前記浴室設備の下方以外の前記床断熱材よりも低い位置に配置されるように、該浴室下断熱材を吊り下げ支持するものであることを特徴とする請求項１乃至８のいずれか１項に記載の建物の断熱構造。
【請求項１０】
前記支持部材は、
前記設備架台から下方に向けて延び、前記設備架台に固定されている固定部と、
前記固定部から側方に向けて延び、前記浴室下断熱材が載せられている載置部と、
を有していることを特徴とする請求項１乃至９のいずれか１項に記載の建物の断熱構造。
【発明の詳細な説明】
【技術分野】
【０００１】
本発明は、浴室設備を備えている建物の断熱構造に関するものである。
【背景技術】
【０００２】
住宅等の建物においては、浴槽、床パンなどが一体化された浴室ユニットが浴室設備として設置されることで浴室が構成されている。例えば、建物の床板の上に浴室ユニットが設置され、その床板の下側に床下断熱材が設けられていることで、浴室に対する床下断熱構造が実現されている構成がある（例えば特許文献１）。この構成では、床板が床梁に固定され、床梁が建物基礎の上に設置されており、取付け具等のブラケットを用いて床下断熱材が床梁や建物基礎に固定されている。
【先行技術文献】
【特許文献】
【０００３】
【特許文献１】特開２０００−９６８５４号公報
【発明の概要】
【発明が解決しようとする課題】
【０００４】
しかしながら、ブラケットを用いて床下断熱材が床梁や建物基礎に固定されている構成では、床梁や建物基礎の仕様に合わせて建物ごとに異なるブラケットを用いる必要が生じ、ブラケットに関してコスト負担が増加してしまう。また、建物ごとに異なるブラケットを用いるのでは、床下断熱材の固定作業を行う際の作業効率を向上させることが困難になってしまう。
【０００５】
本発明は、上記事情に鑑みてなされたものであり、浴室の床下断熱構造を好適に構築することを主たる目的とするものである。
【課題を解決するための手段】
【０００６】
以下、上記課題を解決するのに有効な手段等につき、必要に応じて作用、効果等を示しつつ説明する。
【０００７】
第１の発明の建物の断熱構造は、建物に設けられた浴室設備を下方から支持する設備架台と、前記浴室設備の底面部から下方に離間した位置に設けられている浴室下断熱材と、前記設備架台に取り付けられ、前記浴室下断熱材を支持する支持部材と、を備えていることを特徴とする。
【０００８】
第１の発明によれば、浴室下断熱材が、設備架台に支持部材を用いて固定されているため、建物ごとに異なる支持部材を用いるという必要がない。これは、建物側の床構造とは異なり、ユニットバス等の浴室設備や設備架台については仕様の一般化（共通化）がなされており、これら設備架台等が一般化されることで、設備架台に取り付けられる支持部材の一般化が可能になるためである。この場合、支持部材について、建物ごとに専用品を製作せずに汎用品を用いることができるため、コスト負担を低減できる。また、支持部材を用いて浴室下断熱材を固定する際の作業内容を、建物の仕様が異なっても同じにすることが可能であるため、作業効率を向上させることができる。以上により、浴室の床下断熱構造を好適に構築することができる。
【０００９】
第２の発明では、第１の発明において、前記浴室下断熱材は、板状の断熱パネルが横並びに複数設けられていることで、浴室床部に沿って延びており、前記支持部材は、隣り合う前記断熱パネルの境界部において、該断熱パネルの端部を支持するものである。
【００１０】
第２の発明によれば、複数の断熱パネルにより浴室下断熱材が複数に分割された状態になっているため、浴室下断熱材が分割されていない構成に比べて、浴室下断熱材を構成する部材（断熱パネル）の運搬作業を容易化できる。
【００１１】
ところが、浴室下断熱材が複数に分割されている構成では、断熱パネルの境界部が浴室下断熱材の周縁部よりも内側に配置されるため、断熱パネル同士を連結しておいたとしても、浴室下断熱材の周縁部を設備架台に固定するだけでは、浴室下断熱材の中間部分（断熱パネル同士の連結部分）が下方に撓むことが懸念される。
【００１２】
これに対して、本発明によれば、浴室下断熱材において断熱パネル同士の境界部に支持部材が配置されているため、断熱パネル同士の境界部の周辺部分が下方に撓むことを抑制できる。しかも、支持部材をあらかじめ設備架台に取り付けておくことで、設備架台を設置した後にその設備架台の下側（床下空間）に作業者が潜り込んで支持部材を設備架台に取り付けるという必要がないため、支持部材を用いて浴室下断熱材を設備架台に固定する作業を容易化できる。
【００１３】
第３の発明では、第２の発明において、前記設備架台は、前記建物の床部において、床梁が所定間隔で複数設置されている設置領域と、前記床梁が設置されていない非設置領域とのうち、前記非設置領域に配置されている一方で、前記非設置領域の外側に配置された床梁に固定されており、前記支持部材は、隣り合う前記断熱パネルの境界部において、前記非設置領域に上下に重なる位置に配置されている。
【００１４】
第３の発明によれば、浴室下断熱材において床梁の非設置領域に配置された部分を、支持部材により設備架台に固定することができる。このため、設備架台を床梁に固定することさえできれば、浴室下断熱材の固定対象とするためだけに床梁を設置するという必要がない。しかも、床梁の非設置領域においては、床梁という障害物が存在しないため、設備架台の設置作業や、その設備架台に対する浴室下断熱材の取り付け作業を容易化できる。
【００１５】
第４の発明では、第３の発明において、前記設備架台は、前記非設置領域の周縁部に沿って延びている外側フレーム材と、前記外側フレーム材よりも前記非設置領域の内側に設けられ、前記浴室設備が載せられている内側フレーム材と、を有しており、前記支持部材は、前記内側フレーム材に取り付けられている。
【００１６】
第４の発明によれば、内側フレーム材が、浴室設備を下方から支持すること、及び支持部材の取付対象になることという２つの役割を果たしているため、支持部材を取り付けるための専用部材を床梁の非設置領域に設置するという必要がない。したがって、支持部材を設備架台に取り付けることを理由としてコスト負担が増加するということを抑制できる。しかも、断熱パネルの境界部を内側フレーム材の下方に配置することで、内側フレーム材と断熱パネルとを繋ぐ支持部材の構造が複雑になることや支持部材の強度が低下することを抑制できる。
【００１７】
第５の発明では、第１乃至第４のいずれかの発明において、前記支持部材は、前記浴室下断熱材を支持している支持状態にあり、前記浴室下断熱材を支持せず且つ該浴室下断熱材の設置位置から上方に離間した退避状態に移行可能である。
【００１８】
第５の発明によれば、支持部材が退避状態に移行可能であるため、設備架台を運搬する際に支持部材が変形したり破損したりすることを抑制できる。しかも、設備架台を設置した後は、支持部材を状態移行させるという容易な作業を行うことで、支持部材を用いて浴室下断熱材を設備架台に固定することが可能になる。
【００１９】
第６の発明では、第５の発明において、柱及び大梁を有する建物ユニットが複数組み合わされることで構築された建物に適用され、前記設備架台は、前記建物ユニットの下面から下方に突出しない状態で、該建物ユニットに取り付けられており、前記支持部材は、前記支持状態にある場合に前記建物ユニットの下面から下方に突出した状態にあり、前記退避状態に移行することで前記建物ユニットの下面から下方に突出していない状態になる。
【００２０】
第６の発明によれば、浴室下断熱材が建物ユニットの下面よりも下方に突出した状態で設けられていても、支持部材によりその浴室下断熱材を支持することができる。しかも、支持部材を退避状態に移行させることで、その支持部材が建物ユニットの下面から下方に突出しない状態になるため、設備架台を建物ユニットに取り付けた状態で、その建物ユニットを運搬する際に支持部材が変形したり破損したりするということを抑制できる。
【００２１】
第７の発明では、第５又は第６の発明において、前記設備架台は、前記支持部材が取り付けられた支持フレーム材を有しており、前記支持部材は、前記支持フレーム材の側面に固定された軸支部により回動可能に軸支されており、該側面に沿って回動することで前記退避状態に移行可能になっている。
【００２２】
第７の発明によれば、支持部材を回動させるという容易な作業により、その支持部材を浴室下断熱材の設置位置から上方に離間させることができる。この場合、例えば支持部材が上下にスライド移動するという構成に比べて、支持部材が支持フレーム材よりも上方に突出しないようにその支持部材を退避状態に移行させる構成を簡易なものにすることができる。
【００２３】
第８の発明では、第７の発明において、前記支持部材は、前記支持フレーム材の側面に重ねられた状態で設けられ、前記軸支部から下方に向けて延びている重ね板部を有しており、前記重ね板部の幅寸法は、当該重ね板部の下端から上端に向けて徐々に小さくされている。
【００２４】
第８の発明によれば、重ね板部の下端の幅寸法を上端の幅寸法よりも大きくすることで、重ね板部による浴室下断熱材の支持安定性を高めることができる。その一方で、重ね板部の上端の幅寸法が極力小さくされているため、支持部材を回動させた場合に、重ね板部の側部が支持フレーム材から上方に突出してしまうことを抑制できる。
【００２５】
第９の発明では、第１乃至第８のいずれかの発明において、前記建物の床部において、床面材の下方に床断熱材が設けられている建物に適用され、前記浴室設備の下方には、前記浴室下断熱材が前記床断熱材として設けられており、前記支持部材は、前記浴室下断熱材が前記浴室設備の下方以外の前記床断熱材よりも低い位置に配置されるように、該浴室下断熱材を吊り下げ支持するものである。
【００２６】
第９の発明によれば、浴室下断熱材が支持部材により吊り下げ支持されているため、その浴室下断熱材を床断熱材よりも低い位置に適正な状態で設置することができる。なお、浴室下断熱材と床断熱材とが隣り合う領域に配置されている構成では、それら浴室下断熱材と床断熱材とを連結することにより、隣り合う領域に断熱性能を好適に付与できる。隣り合う領域としては、例えば、第３の発明における設置領域及び非設置領域が挙げられる。この場合、設置領域に床断熱材が配置され、非設置領域に浴室下断熱材が配置されることになる。
【００２７】
第１０の発明では、第１乃至第９のいずれかの発明において、前記支持部材は、前記設備架台から下方に向けて延び、前記設備架台に固定されている固定部と、前記固定部から側方に向けて延び、前記浴室下断熱材が載せられている載置部と、を有している。
【００２８】
第１０の発明によれば、浴室下断熱材を支持部材の載置部の上に載せるという容易な作業を行うことで、浴室下断熱材を設備架台に固定することができる。
【図面の簡単な説明】
【００２９】
【図１】建物ユニットの床構造部分の構成を示す平面図。
【図２】建物ユニットに浴室ユニットが設置された状態を示す概略図。
【図３】建物ユニットの床構造部分及びユニット架台の分解斜視図。
【図４】浴室下断熱材の構成を示す平面図。
【図５】架台用ブラケットの斜視図。
【図６】図４のＢ−Ｂ線断面図。
【図７】図４のＣ−Ｃ線断面図。
【発明を実施するための形態】
【００３０】
以下、本発明を具体化した一実施形態を図面に基づいて説明する。本実施形態では、複数の建物ユニットを組み合わせて構築されるユニット式建物において、いずれかの建物ユニットに浴室ユニットが設置される構成としている。建物ユニット及びユニット式建物の構成は周知であるため、図示による説明は割愛するが、簡単に説明をしておく。建物ユニットは、四隅の柱と、それら各柱の上端部を連結する天井大梁と、各柱の下端部を連結する床大梁とを有し、全体として直方体状に形成されている。この建物ユニットはユニット製造工場で製作された後、トラック等の搬送手段によって建物施工現場まで搬送される。そして、建物施工現場において建物ユニットがクレーン等の据え付け手段を用いて据え付けられるとともに、隣接する建物ユニットの柱同士が連結部材（ドッキングプレート等）により連結されることで一体の建物本体が構築されるようになっている。
【００３１】
図１は、浴室ユニットの設置対象となる建物ユニット（浴室用の建物ユニット）の床構造部分の構成を示す平面図、図２は、建物ユニットに浴室ユニットが設置された状態を示す概略図、図３は、建物ユニットの床構造部分及びユニット架台の分解斜視図である。なお、図２においては、図１のＡ−Ａ線断面図を示す図にもなっている。
【００３２】
図１に示す建物ユニット１０において、床構造部は、当該建物ユニット１０の四隅となる位置に配置される柱１１を有し、その柱１１に対して互いに直交する２方向に床大梁１２が連結されている。柱１１は四角筒状の角形鋼よりなる。また、床大梁１２は断面コ字状の溝形鋼よりなり、その開口部が向き合うようにして、すなわち溝部をユニット内側に向けるようにして設置されている。
【００３３】
床構造部には、浴室ユニットが組み入れられる浴室スペースＳ１と、建物ユニット１０の短手方向に沿って浴室スペースＳ１に横並びに配置された短手側スペースＳ２と、建物ユニット１０の長手方向に沿って浴室スペースＳ１に横並びに配置された長手側スペースＳ３とが設定されている。この場合、短手側スペースＳ２と長手側スペースＳ３とは、建物ユニット１０の長手方向に沿って横並びに配置されている。
【００３４】
床構造において長手側スペースＳ３に相当する部位には、各床大梁１２のうち長辺側となる一対の床大梁１２の間に架け渡した状態で複数の床小梁１３が設けられている。床小梁１３は、例えば四角筒状の角形鋼よりなる床梁である。
【００３５】
浴室スペースＳ１及び短手側スペースＳ２に相当する部位には、床小梁１３が設けられておらず、短辺側の床大梁１２と床小梁１３との間に架け渡した状態で受け小梁１４が設けられている。受け小梁１４は、例えば四角筒状の角形鋼よりなる床梁である。この場合、浴室スペースＳ１では、長辺側の床大梁１２と受け小梁１４とが互いに対向し、それら床大梁１２及び受け小梁１４にそれぞれ複数の受け金具１５が取り付けられている。
【００３６】
なお、受け小梁１４は、浴室スペースＳ１と短手側スペースＳ２との境界部に配置されている。ここで、床大梁１２、床小梁１３及び受け小梁１４は床梁に相当し、浴室スペースＳ１はこれら床梁により囲まれた領域になっている。また、浴室スペースＳ１は、これら床梁が設置されていない非設置領域に相当し、長手側スペースＳ３は、床小梁１３が所定間隔で設置された設置領域に相当する。ちなみに、床構造部において浴室スペースＳ１に相当する部位は、浴室の床部を形成することになり、短手側スペースＳ２及び長手側スペースＳ３に相当する部位は、脱衣室や廊下など浴室に隣接する空間の床部を形成することになる。
【００３７】
図２に示すように、受け金具１５により支持された状態で浴室ユニット２０が設置されている。浴室ユニット２０は、受け金具１５により支持されるユニット架台２１と、そのユニット架台２１の上に設置されるユニット本体２２とを有している。ユニット本体２２は、浴槽２２ａと、浴室の床面を形成する床パン２２ｂと、浴室の壁面及び天井面を形成する壁パネル２２ｃ及び天井パネル２２ｄとを有している。ユニット本体２２においては、その内側空間が浴室空間ＳＢとされており、浴槽２２ａと床パン２２ｂとは横並びに配置されている。浴槽２２ａと床パン２２ｂとの並び方向は、建物ユニット１０の長手方向になっている。なお、浴槽２２ａと床パン２２ｂとの並び方向は、建物ユニット１０の短手方向になっていてもよい。
【００３８】
ユニット架台２１は、ユニット本体２２を下方から支持している。ここで、浴室ユニット２０においては、ユニット本体２２が浴室設備に相当し、ユニット架台２１が設備架台に相当する。また、床パン２２ｂが浴室設備の底面部に相当し、浴室床部を構成している。
【００３９】
ユニット架台２１は、その下方に延びる脚部材としての複数のボルト脚２５を有しており、そのボルト脚２５が各受け金具１５の上に載置されることで、建物ユニット１０に対して浴室ユニット２０が据え付けられるようになっている。ボルト脚２５は受け金具１５に対して接着剤や硬化剤等により固定されており、それによって、ユニット架台２１が床大梁１２や受け小梁１４に固定されている。この場合、浴室ユニット２０は、一対の床梁（床大梁１２、受け小梁１４）に架け渡すようにして設置される。ボルト脚２５は、建物ユニット１０の床構造部に対して浴室ユニット２０を所定高さに保持する高さ保持機能と、浴室ユニット２０の高さのレベル調整（水平調整）を行うためのレベル調整機能（長さ調整機能）とを有している。
【００４０】
図３に示すように、ユニット架台２１は、床パン２２ｂの下方に配置された床パン架台部２７と、浴槽２２ａの下方に配置された浴槽架台部２８とを有している。浴槽架台部２８の支持面（上面）は床パン架台部２７の支持面よりも低い位置に配置されている。この場合、床パン架台部２７が上段部に相当し、浴槽架台部２８が下段部に相当する。
【００４１】
床パン架台部２７及び浴槽架台部２８は、いずれも複数のフレーム材（長尺状の角材）が互いに直交する向きに連結されて構成されている。床パン架台部２７及び浴槽架台部２８における各フレーム材には、下方に延びる複数のボルト脚２５が取り付けられている。本実施形態では、床パン架台部２７に４つのボルト脚２５が設けられ、浴槽架台部２８に２つのボルト脚２５が設けられている。なお、床パン架台部２７及び浴槽架台部２８は上下方向に段差状に設けられていることから、これら架台部２７，２８のボルト脚２５は長さが相違しており、「床パン架台部２７側の脚長さ＞浴槽架台部２８側の脚長さ」となっている。
【００４２】
床パン架台部２７は、フレーム材として、床パン架台部２７の周縁部に沿って延びている外側フレーム材２７ａと、外側フレーム材２７ａに平行に配置されその外側フレーム材２７ａよりも内側に設けられた内側フレーム材２７ｂと、これらフレーム材２７ａ，２７ｂに直交する直交フレーム材２７ｃとを有している。外側フレーム材２７ａ及び内側フレーム材２７ｂは、いずれも床パン架台部２７と浴槽架台部２８との並び方向に沿って延びており、直交フレーム材２７ｃ同士を連結している。内側フレーム材２７ｂの上面は、外側フレーム材２７ａの上面よりも低い位置に配置されている。
【００４３】
浴槽架台部２８は、フレーム材として、床パン架台部２７の内側フレーム材２７ｂの延長線上に配置された延長フレーム材２８ａと、延長フレーム材２８ａ同士を連結する連結フレーム材２８ｂとを有している。延長フレーム材２８ａは、内側フレーム材２７ｂと同じ方向に延びており、延長フレーム材２８ａと内側フレーム材２７ｂとは、最も浴槽架台部２８側に配置された直交フレーム材２７ｃを介して連結されている。なお、内側フレーム材２７ｂは、直交フレーム材２７ｃに横並びに配置され、延長フレーム材２８ａは、直交フレーム材２７ｃよりも低い位置に配置されている。また、延長フレーム材２８ａの下側には、延長フレーム材２８ａの強度を補強する補強フレーム材が設けられている。
【００４４】
ユニット架台２１の下方には、浴室ユニット２０のユニット本体２２の床下部分を断熱する床下断熱材３１が配設されている。床下断熱材３１は、全体として矩形板状に形成されており、床パン２２ｂ及び浴槽２２ａの下方に設けられている。ここで、ユニット本体２２の下面部（床パン２２ｂや浴槽２２ａの下面を形成している部分）は、床下断熱材３１とは異なる断熱層を有しており、この断熱層はユニット本体２２の下面に沿って延びている。この場合、床下断熱材３１は、ユニット本体２２から下方に離間した位置において、浴室スペースＳ１を下方から覆う状態で配置されており、建物ユニット１０やユニット架台２１に対して固定されている。なお、床下断熱材３１が浴室下断熱材に相当する。
【００４５】
床下断熱材３１には、上下方向に貫通した開口部３１ａが設けられている。開口部３１ａは、床パン架台部２７と浴槽架台部２８との境界部を跨ぐ位置に配置されており、床パン２２ｂ及び浴槽２２ａから延びる排水管や排水トラップが開口部３１ａを通じて床下断熱材３１の下方に引き出されている。
【００４６】
床下断熱材３１は、ポリエチレンフォーム等の板状断熱材により形成された断熱パネル３２を複数有しており、これら断熱パネル３２が横並びに配置されることで板状に形成されている。この場合、床下断熱材３１は、複数の断熱パネル３２により複数に分割された状態になっている。断熱パネル３２同士の境界部には、内側フレーム材２７ｂと上下に並ぶ位置に配置されている部分が含まれている。
【００４７】
次に、床下断熱材３１の固定構造について図３〜図７を参照しつつ説明する。図４は床下断熱材３１の構成を示す平面図、図５は架台用ブラケット４１の斜視図、図６は図４のＢ−Ｂ線断面図、図７は図４のＣ−Ｃ線断面図である。なお、図４においては受け金具１５の図示を省略し、図５、図６においてはユニット本体２２の図示を省略する。
【００４８】
図４に示すように、建物ユニット１０が載せられている建物基礎は、受け小梁１４が連結された床大梁１２に沿って延びている基礎部３５を有している。基礎部３５は、建物基礎のフーチング部から上方に向けて立ち上げられた立ち上がり部であり、基礎部３５の上面には柱１１が立設されている。
【００４９】
床下断熱材３１の周縁部は建物ユニット１０や基礎部３５に固定されており、その固定位置Ｎ１は、床下断熱材３１の周縁部に沿って複数配置されている。また、床下断熱材３１の中間部分はユニット架台２１に固定されており、その固定位置Ｎ２は、床下断熱材３１の周縁部よりも内側において、隣り合う断熱パネル３２の境界部に沿って複数配置されている。
【００５０】
隣り合う断熱パネル３２は互いに連結されており、その連結位置Ｍは、隣り合う断熱パネル３２の境界部に沿って複数配置されている。床下断熱材３１においては、隣り合う断熱パネル３２の境界部が複数形成されており、固定位置Ｎ２と連結位置Ｍとはそれぞれ異なる境界部に配置されている。なお、隣り合う断熱パネル３２の端面同士は、連結位置Ｍであるか否かに関係なく、それぞれの端面同士が接着剤等により接合されている。
【００５１】
固定位置Ｎ２においては、ユニット架台２１に取り付けられた架台用ブラケット４１が床下断熱材３１を支持している。図３、図５に示すように、架台用ブラケット４１は、床パン架台部２７の内側フレーム材２７ｂに沿って複数設けられており、それぞれ内側フレーム材２７ｂに固定されている。架台用ブラケット４１は、内側フレーム材２７ｂにおいて断熱パネル３２同士の境界部に上下に並ぶ部分に取り付けられている。なお、架台用ブラケット４１が、床下断熱材３１を支持する支持部材に相当し、内側フレーム材２７ｂが、支持部材としての架台用ブラケット４１が取り付けられた支持フレーム材に相当する。
【００５２】
架台用ブラケット４１は、内側フレーム材２７ｂに固定された固定部としての固定板部４１ａと、断熱パネル３２が載せられている載置部としての載置板部４１ｂとを有している。固定板部４１ａと載置板部４１ｂとは互いに直交する方向に延びており、架台用ブラケット４１は、金属製の板材が折り曲げられることでＬ字状に形成されたものである。なお、架台用ブラケット４１は、合成樹脂材料等がＬ字状に成型されたものであってもよい。
【００５３】
架台用ブラケット４１は、床下断熱材３１を吊り下げ支持するものであり、固定板部４１ａは、内側フレーム材２７ｂに対する固定部分から下方に向けて延びている。載置板部４１ｂは、固定板部４１ａの下端からその固定板部４１ａの厚み方向に延びている。載置板部４１ｂは、固定板部４１ａの下端に沿って複数並べられており、隣り合う載置板部４１ｂのうち一方は、固定板部４１ａの厚み方向において他方とは反対側に向けて延びている。この場合、架台用ブラケット４１は、断熱パネル３２同士の境界部において、各載置板部４１ｂの上に断熱パネル３２が載せられることで、隣り合う断熱パネル３２のそれぞれを引っ掛けた状態で支持することになる（図７参照）。
【００５４】
架台用ブラケット４１は、内側フレーム材２７ｂの側面に沿って回動可能な状態で、その内側フレーム材２７ｂに取り付けられている。内側フレーム材２７ｂの側面には軸支部４２が取り付けられており、固定板部４１ａの上端部分が軸支部４２により軸支されている。軸支部４２は、固定板部４１ａを内側フレーム材２７ｂの側面に固定しているボルトやビス等の固定具であり、固定板部４１ａを回動させることができ且つ鉛直方向に対して傾いた所定の傾斜角度で位置保持できる程度の強さで、内側フレーム材２７ｂに対して固定している。固定板部４１ａには、軸支部４２が貫通しているボルト孔やビス孔等の軸支用孔が形成されている。
【００５５】
固定板部４１ａは、その上端が内側フレーム材２７ｂよりも上方に突出しない高さ位置に配置されている。また、固定板部４１ａは、軸支部４２を中心に回動しても内側フレーム材２７ｂよりも上方にはみ出しにくい形状にされている。固定板部４１ａにおいては、上端部の幅寸法が下端部の幅寸法よりも小さくされており、その幅寸法が下端から上端に向けてテーパ状に徐々に小さくされており、全体として台形形状になっている。固定板部４１ａの上端部分については、固定板部４１ａの幅方向において、軸支部４２から側端までの離間距離が軸支部４２から上端までの離間距離と同じ又はそれよりも小さくされている。
【００５６】
なお、固定板部４１ａにおいては、上端の隅角部が面取りされていてもよい。これにより、固定板部４１ａが回動した場合に、その上端の隅角部が内側フレーム材２７ｂよりも上方に突出することをより確実に防止できる。
【００５７】
図６、図７に示すように、床下断熱材３１は、建物ユニット１０よりも下方にはみ出した状態で設置されている。床下断熱材３１の下面は、床大梁１２の下面よりも低い位置に配置されており、架台用ブラケット４１は、床下断熱材３１を支持した支持状態になっている。支持状態にある架台用ブラケット４１は、固定板部４１ａが上方から断熱パネル３２同士の境界部に入り込み、且つ載置板部４１ｂがそれら断熱パネル３２の下側に配置された状態になっている。この場合、架台用ブラケット４１は、建物ユニット１０の下面よりも下方に突出している。
【００５８】
ここで、建物ユニット１０の運搬時や、床下断熱材３１の設置前などにおいて、架台用ブラケット４１は、回動することで支持状態とは異なる退避状態に移行可能になっている。架台用ブラケット４１が退避状態にある場合、その架台用ブラケット４１の下端は、床下断熱材３１の設置位置から上方に離間した位置に配置されている。また、この場合、架台用ブラケット４１の下端は、建物ユニット１０の下面（床大梁１２の下面）よりも高い位置に配置されている。
【００５９】
図４の説明に戻り、固定位置Ｎ１においては、床大梁１２等の床梁に取り付けられた梁側ブラケット４５、又は基礎部３５に取り付けられた基礎側ブラケット４６が床下断熱材３１を支持している。梁側ブラケット４５及び基礎側ブラケット４６は、床下断熱材３１の周縁部において、断熱パネル３２の角部分を支持できる位置に配置されている。例えば、床下断熱材３１の角部分には梁側ブラケット４５が配置され、床下断熱材３１の周縁部において断熱パネル３２同士の境界部分には梁側ブラケット４５又は基礎側ブラケット４６が配置されている。
【００６０】
図６、図７に示すように、床小梁１３及び受け小梁１４の上には、根太５１を介して床面材５２が設置されており、床面材５２の下側には梁上断熱材５３が設けられている。床面材５２はパーティクルボードや合板等により形成されている。梁上断熱材５３は床下断熱材３１よりも高い位置に配置されており、これら梁上断熱材５３と床下断熱材３１とは端部同士が上下に並んでいる。梁上断熱材５３と床下断熱材３１との間には、それら梁上断熱材５３と床下断熱材３１とを連結する連結断熱材５４が設けられている。梁上断熱材５３及び連結断熱材５４は、断熱パネル３２と同様に、ポリエチレンフォーム等の板状断熱材により形成されている。なお、梁上断熱材５３及び床下断熱材３１は、いずれも床面材５２の下方に設けられた床断熱材に相当する。
【００６１】
連結断熱材５４は、床小梁１３及び受け小梁１４を挟んでユニット架台２１とは反対側の位置にそれぞれ配置されており、床小梁１３及び受け小梁１４のそれぞれに固定されている。連結断熱材５４と床下断熱材３１とは梁側ブラケット４５により連結されている。梁側ブラケット４５は、連結断熱材５４と床下断熱材３１との境界部を跨いだ状態で設けられており、ビス等の固定具により連結断熱材５４及び床下断熱材３１のそれぞれに固定されている。この場合、床下断熱材３１は、梁側ブラケット４５及び連結断熱材５４を介して床小梁１３や受け小梁１４に固定されていることになる。
【００６２】
床大梁１２において、下方に基礎部３５が設けられていない部分には、床下断熱材３１が梁側ブラケット４５を介して固定されている。床下断熱材３１は床大梁１２の下側に配置されており、その床大梁１２に固定されている梁側ブラケット４５は、床大梁１２の下側フランジに引っ掛けられた上側引掛部と、床下断熱材３１に引っ掛けられた下側引掛部とを有している。床大梁１２の溝部内には、梁内断熱材５５が設けられており、その梁内断熱材５５と床下断熱材３１とが断熱性能の観点から見て連続した状態になっている。
【００６３】
床大梁１２において、下方に基礎部３５が設けられている部分については、基礎側ブラケット４６を介して、床大梁１２ではなく基礎部３５に床下断熱材３１が固定されている。床下断熱材３１は、基礎部３５の側方に配置されており、基礎側ブラケット４６は、基礎部３５の上端面に引っ掛けられた上側引掛部と、床下断熱材３１に引っ掛けられた下側引掛部とを有している。ここで、床大梁１２と基礎部３５との間の隙間には隙間断熱材５６が設けられている。隙間断熱材５６は、グラスウール等の断熱材により形成され、床下断熱材３１に当接している。この場合、梁内断熱材５５と床下断熱材３１とが断熱性能の観点から見て隙間断熱材５６を介して連続した状態になっている。
【００６４】
なお、床下断熱材３１の開口部３１ａには、排水管や排水トラップが設置された状態での隙間部分を塞ぐ塞ぎ断熱材５７が設けられている。塞ぎ断熱材５７は、グラスウール等の断熱材により形成されている。
【００６５】
連結位置Ｍ（図４参照）においては、断熱パネル３２同士が繋ぎ部材６１により連結されている。繋ぎ部材６１は、互いに反対を向いた一対の溝部を有しており、それら溝部に断熱パネル３２がそれぞれ嵌合されることで、それら断熱パネル３２を繋いでいる。なお、架台用ブラケット４１、梁側ブラケット４５、基礎側ブラケット４６も、隣り合う断熱パネル３２の境界部に配置されていることで、それら断熱パネル３２を繋いでいることになる。
【００６６】
続いて、建物ユニット１０及び床下断熱材３１の設置手順について説明する。
【００６７】
まず、工場において建物ユニット１０及び浴室ユニット２０を製造し、建物ユニット１０の浴室スペースＳ１に対して浴室ユニット２０を設置する。そして、架台用ブラケット４１を支持状態ではなく退避状態に移行させて、浴室ユニット２０を建物ユニット１０ごと工場から建築現場に運搬する。この場合、架台用ブラケット４１が建物ユニット１０から下方に突出していないため、建物ユニット１０の運搬に際して架台用ブラケット４１が変形したり破損したりすることや、架台用ブラケット４１が建物ユニット１０の運搬の支障になることを抑制できる。
【００６８】
ここで、ユニット架台２１の内側フレーム材２７ｂの上には床パン２２ｂが載せられているが、架台用ブラケット４１においては、その架台用ブラケット４１を回動させても固定板部４１ａの上端の隅角部が内側フレーム材２７ｂよりも上方に突出しないようになっているため、固定板部４１ａの上端が床パン２２ｂに接触してしまって架台用ブラケット４１の回動角度が制限されるということを回避できる。
【００６９】
その後、建築現場に運搬した建物ユニット１０を基礎部３５の上に設置し、ユニット架台２１の下方に複数の断熱パネル３２を並べて床下断熱材３１を形成する。この場合、架台用ブラケット４１を回動させて退避状態から支持状態に移行させるとともに、断熱パネル３２の端部を架台用ブラケット４１の載置板部４１ｂに引っ掛ける。また、梁側ブラケット４５及び基礎側ブラケット４６を用いて、床下断熱材３１を床大梁１２、床小梁１３、受け小梁１４、基礎部３５に対して固定する。
【００７０】
以上詳述した本実施形態によれば、以下の優れた効果が得られる。
【００７１】
架台用ブラケット４１を用いて床下断熱材３１がユニット架台２１に固定されているため、建物ごとに異なる架台用ブラケット４１を用いるという必要がない。これは、建物側の床構造とは異なり、ユニット架台２１は仕様の一般化（共通化）が容易であり、一般化されたユニット架台２１には一般化した架台用ブラケット４１を取り付けることができるためである。この場合、架台用ブラケット４１について、建物ごとに専用品を製作せずに汎用品を用いることができるため、コスト負担を低減できる。また、架台用ブラケット４１を用いて床下断熱材３１を固定する際の作業内容を、建物の仕様が異なっても同じにすることが可能であるため、作業効率を向上させることができる。以上により、浴室の床下断熱構造を好適に構築することができる。
【００７２】
床下断熱材３１が、横並びに配置された複数の断熱パネル３２により形成されているため、床下断熱材３１を構築する際の部材（断熱パネル３２）の運搬作業を容易化できる。また、架台用ブラケット４１が断熱パネル３２同士の境界部に配置されているため、その境界部の周辺部分が下方に撓むことを抑制できる。しかも、架台用ブラケット４１をあらかじめユニット架台２１に取り付けておくことで、ユニット架台２１を設置した後にそのユニット架台２１の下側に作業者が潜り込んで架台用ブラケット４１をユニット架台２１に取り付けるという必要がないため、架台用ブラケット４１を用いて床下断熱材３１をユニット架台２１に固定する作業を容易化できる。
【００７３】
床小梁１３が設置されていない浴室スペースＳ１において、床下断熱材３１が架台用ブラケット４１により支持されているため、ユニット架台２１を床大梁１２等の床梁に固定することさえできれば、床下断熱材３１の固定対象とするためだけに床小梁１３や受け小梁１４を設置するという必要がない。しかも、浴室スペースＳ１においては、床小梁１３や受け小梁１４という障害物が存在しないため、ユニット架台２１の設置作業や、そのユニット架台２１に対する床下断熱材３１の取り付け作業を容易化できる。
【００７４】
ユニット架台２１においては、ユニット本体２２が載せられている内側フレーム材２７ｂに架台用ブラケット４１が取り付けられていることで、その内側フレーム材２７ｂがユニット本体２２及び架台用ブラケット４１（床下断熱材３１）の両方を支持しているため、架台用ブラケット４１を取り付けるための専用部材を浴室スペースＳ１に設置するという必要がない。したがって、架台用ブラケット４１をユニット架台２１に取り付けることを理由としてコスト負担が増加するということを抑制できる。
【００７５】
しかも、断熱パネル３２の境界部を内側フレーム材２７ｂの下方に配置されていることで、内側フレーム材２７ｂにおける架台用ブラケット４１の固定位置と、断熱パネル３２における架台用ブラケット４１による支持位置との離間距離が極力小さくされているため、架台用ブラケット４１の構造が複雑になることや架台用ブラケット４１の強度が低下することを抑制できる。
【００７６】
建物の構築に際して、架台用ブラケット４１を退避状態に移行させることで、ユニット架台２１を運搬する際に架台用ブラケット４１が変形したり破損したりすることを抑制できる。しかも、ユニット架台２１を設置した後は、架台用ブラケット４１を状態移行させるという容易な作業を行うことで、架台用ブラケット４１を用いて床下断熱材３１をユニット架台２１に固定することが可能となる。
【００７７】
架台用ブラケット４１は、退避状態にある場合に建物ユニット１０から下方に突出していないため、ユニット架台２１が取り付けられた状態の建物ユニット１０が運搬される際に、架台用ブラケット４１がその運搬の支障になることや、架台用ブラケット４１が変形したり破損したりすることを抑制できる。
【００７８】
架台用ブラケット４１が内側フレーム材２７ｂに回動可能に取り付けられているため、架台用ブラケット４１を回動させるという容易な作業を行うことで、その架台用ブラケット４１を床下断熱材３１の設置位置から上方に離間させることができる。この場合、架台用ブラケット４１が上下にスライド移動するという構成に比べて、架台用ブラケット４１が内側フレーム材２７ｂよりも上方に突出しないようにその架台用ブラケット４１を退避状態に移行させる構成を簡易なものにすることができる。
【００７９】
架台用ブラケット４１の固定板部４１ａがテーパ形状とされているため、固定板部４１ａの下端部分においては、その幅寸法が大きくされていることで床下断熱材３１の支持安定性を高めることができる一方で、上端部分においては、その幅寸法が小さくされていることで、固定板部４１ａを回動させても内側フレーム材２７ｂよりも上方に突出しにくくなっている。
【００８０】
架台用ブラケット４１が載置板部４１ｂを有しているため、断熱パネル３２を載置板部４１ｂの上に載せるという容易な作業を行うことで、床下断熱材３１をユニット架台２１に固定することができる。また、床下断熱材３１が架台用ブラケット４１により吊り下げ支持されているため、その床下断熱材３１を梁上断熱材５３よりも低い位置において適正な状態で設置することができる。
【００８１】
内側フレーム材２７ｂと延長フレーム材２８ａとの設置高さが異なっている構成において、複数の架台用ブラケット４１がいずれも内側フレーム材２７ｂに取り付けられているため、これら架台用ブラケット４１に延長フレーム材２８ａに取り付けられたものが含まれている構成とは異なり、全ての架台用ブラケット４１を同じ仕様にすることができる。このため、複数の使用の架台用ブラケット４１を用いる構成に比べて、架台用ブラケット４１に関するコスト負担を低減できる。
【００８２】
本発明は上記実施形態の記載内容に限定されず、例えば次のように実施されてもよい。
【００８３】
（１）上記実施形態では、架台用ブラケット４１が断熱パネル３２同士の境界部（床下断熱材３１の周縁部よりも内側部分）において断熱パネル３２の端部を支持していたが、架台用ブラケット４１は、床下断熱材３１の周縁部において断熱パネル３２の端部を支持していてもよい。この場合、架台用ブラケット４１においては、載置板部４１ｂが断熱パネル３２が存在しない側に向けて延びている必要はない。なお、床下断熱材３１が複数に分割されていない構成、つまり、１つの断熱パネル３２により床下断熱材３１が形成されている構成においては、架台用ブラケット４１を床下断熱材３１の周縁部に対して配置することになる。
【００８４】
（２）上記実施形態では、床下断熱材３１が架台用ブラケット４１の載置板部４１ｂの上に載せられて支持されていたが、床下断熱材３１は、架台用ブラケット４１により支持されていれば載置板部４１ｂの上に載せられていなくてもよい。例えば、架台用ブラケット４１が、固定板部４１ａから側方に向けて突出した突出部を有しており、その突出部が床下断熱材３１の側面に埋め込まれることで床下断熱材３１が支持された構成や、突出部が床下断熱材３１の上面に重ねられており、ビス等の固定具が床下断熱材３１を貫通して突出部に打ち込まれている構成とする。
【００８５】
（３）上記実施形態では、架台用ブラケット４１が内側フレーム材２７ｂの側面に固定されていたが、架台用ブラケット４１は、内側フレーム材２７ｂの上面や下面に固定されていてもよい。また、架台用ブラケット４１は、回動することで退避状態に移行するのではなく、上下方向にスライド移動することや、固定板部４１ａが伸縮することで退避状態に移行する構成とされていてもよい。さらに、架台用ブラケット４１は、内側フレーム材２７ｂでなくても、ユニット架台２１のいずれかのフレーム材に固定されていればよい。
【００８６】
（４）上記実施形態では、浴槽２２ａや床パン２２ｂが一体化されたユニット本体２２が、浴室設備としてユニット架台２１の上に設置されていたが、浴槽２２ａや床パン２２ｂが一体化されておらず、これら浴槽２２ａや床パン２２ｂがそれぞれ浴室設備として個別にユニット架台２１の上に設置されていてもよい。例えば、浴槽２２ａが浴室設備としてユニット架台２１の上に設置されている構成では、架台用ブラケット４１は、浴槽２２ａが載せられた延長フレーム材２８ａに取り付けられ、浴槽２２ａの下方において床下断熱材３１を支持していることが好ましい。
【００８７】
（５）上記実施形態では、床下断熱材３１が建物ユニット１０の下側に設けられていたが、床下断熱材３１は、建物ユニット１０の下面よりも上方に入り込んだ状態で設けられていてもよい。例えば、床下断熱材３１が建物ユニット１０の下面よりも高い位置に設けられた構成とする。この構成では、架台用ブラケット４１が支持状態にある場合でも、その架台用ブラケット４１が建物ユニット１０よりも下方に突出させる必要がないため、架台用ブラケット４１を退避状態に移行可能な構成にする必要もない。
【００８８】
（６）上記実施形態では、浴室スペースＳ１が床梁の非設置領域とされていたが、ユニット架台２１を浴室スペースＳ１に設置することが可能であれば、浴室スペースＳ１にも床小梁１３や受け小梁１４が設けられていてもよい。例えば、浴室スペースＳ１を挟んで対向配置された床大梁１２と床小梁１３との離間距離が所定距離（例えば５０ｃｍ）より大きい場合に、浴室スペースＳ１に床小梁１３や受け小梁１４が設けられることが好ましい。
【００８９】
（７）上記実施形態では、ユニット架台２１が床大梁１２等の床梁よりも浴室スペースＳ１側に配置されていたが、ユニット架台２１は床梁の上に設置されていてもよい。例えば、ユニット架台２１が受け金具１５の上に載せられているのではなく、ユニット架台２１が床大梁１２及び受け小梁１４の上に載せられた構成とする。
【００９０】
（８）上記実施形態では、ユニット架台２１を支持する受け金具１５が、建物ユニット１０の短手方向に沿って並ぶ床大梁１２及び受け小梁１４のそれぞれに取り付けられていたが、建物ユニット１０の長手方向に沿って並ぶ床大梁１２及び床小梁１３のそれぞれに取り付けられていてもよい。この場合、ユニット架台２１が受け金具１５を介して床大梁１２及び床小梁１３に固定されていることになる。
【００９１】
（９）床大梁１２と床小梁１３を連結する受け小梁１４が複数設けられており、隣り合う受け小梁１４の間に浴室スペースＳ１が配置されていてもよい。この場合、浴室スペースＳ１を挟んで隣り合う受け小梁１４のそれぞれに受け金具１５が取り付けられ、ユニット架台２１がそれら受け金具１５を介して各受け小梁１４に固定されていることが好ましい。
【００９２】
また、短手側スペースＳ２は設けられていなくてもよい。つまり、浴室スペースＳ１は一対の床大梁１２の間に配置されていてもよい。この場合、一対の床大梁１２のそれぞれに受け金具１５が取り付けられ、ユニット架台２１がそれら受け金具１５を介して一対の床大梁１２に固定されていることが好ましい。
【００９３】
さらに、浴室スペースＳ１は、対向配置された床大梁１２と床小梁１３との間に配置されているのではなく、対向配置された床小梁１３同士の間に配置されていてもよい。この場合、隣り合う床小梁１３のそれぞれに受け金具１５が取り付けられ、ユニット架台２１がそれら受け金具１５を介して各床小梁１３に固定されていることが好ましい。
【符号の説明】
【００９４】
１０…建物ユニット、１１…柱、１２…床梁及び大梁としての床大梁、１３…床梁としての床小梁、１４…床梁としての受け小梁、２１…設備架台としてのユニット架台、２２…浴室設備としてのユニット本体、２２ｂ…浴室床部を構成している底面部としての床パン、２７ａ…外側フレーム材、２７ｂ…支持フレーム材としての内側フレーム材、３１…浴室下断熱材及び床断熱材としての床下断熱材、３２…断熱パネル、４１…支持部材としての架台用ブラケット、４１ａ…固定部及び重ね板部としての固定板部、４１ｂ…載置部としての載置板部、４２…軸支部、５３…床断熱材としての梁上断熱材、Ｓ１…床梁の非設置領域としての浴室スペース。
【図１】
2015017387.tif 000003
【図２】
2015017387.tif 000004
【図３】
2015017387.tif 000005
【図４】
2015017387.tif 000006
【図５】
2015017387.tif 000007
【図６】
2015017387.tif 000008
【図７】
2015017387.tif 000009